(57)【特許請求の範囲】
【請求項１】
避難口と避難室とを有するカプセル型とされ避難口が地上に位置するようにして全体が地下に埋設される方式とされるカプセル埋設型の津波避難装置の近くに、支柱とその上端の避難ステージおよび同ステージへ至る登降手段とで構築されたタワー型の津波避難構造体を配備してなる津波避難装置であって、前記カプセル埋設型の津波避難装置の避難室は、上端が開放状とされたパイプ状の支柱に対しパイプを通じて連通状とされ、このパイプおよび支柱は避難室の内部ガスの排出と避難室への外部酸素の導入の経路となっていることを特徴とする津波避難装置。
【発明の詳細な説明】
【技術分野】
【０００１】  本発明は、津波避難装置に関する。
【背景技術】
【０００２】  先般の東日本大震災の津波襲来に先立って下記のような津波避難装置が提案されている。【０００３】
【特許文献１】  特開２００８−１４１１２
【発明の概要】
【発明が解決しようとする課題】
【０００４】  特許文献１に開示された津波避難装置によれば、津波から避難して助かることができるのであるが、東日本大震災において発生した津波は、想定を大きく超えるものであるとともに地盤沈下もあって２０ｍを超えるところもあった。そうした観点から津波避難装置（タワー）の高さも高く見直される傾向にあるが、単に高さを高くするだけでは装置への負荷が想定以上に増大する傾向となるため限界が見えてきているのが現状である。【０００５】  本発明は、このような問題を解決しようとするものであり、タワー型津波避難装置のみに頼ることなく他の手段により津波からの避難を可能にした津波避難装置を提供することを目的とする。
【課題を解決するための手段】
【０００６】本発明は上記目的を達成するため、請求項１に記載の発明は、避難口と避難室とを有するカプセル型とされ避難口が地上に位置するようにして全体が地下に埋設される方式とされるカプセル埋設型の津波避難装置の近くに、支柱とその上端の避難ステージおよび同ステージへ至る登降手段とで構築されたタワー型の津波避難構造体を配備してなる津波避難装置であって、前記カプセル埋設型の津波避難装置の避難室は、上端が開放状とされたパイプ状の支柱に対しパイプを通じて連通状とされ、このパイプおよび支柱は避難室の内部ガスの排出と避難室への外部酸素の導入の経路となっていることを特徴とする。
【発明の効果】
【０００７】上述したように本発明は、避難口と避難室とを有するカプセル型とされ避難口が地上に位置するようにして全体が地下に埋設される方式とされるカプセル埋設型の津波避難装置の近くに、支柱とその上端の避難ステージおよび同ステージへ至る登降手段とで構築されたタワー型の津波避難構造体を配備してなる津波避難装置であって、前記カプセル埋設型の津波避難装置の避難室は、上端が開放状とされたパイプ状の支柱に対しパイプを通じて連通状とされ、このパイプおよび支柱は避難室の内部ガスの排出と避難室への外部酸素の導入の経路となっていることを特徴とするので、タワー型津波避難装置のみに頼ることなく他の手段により津波からの避難を可能にした津波避難装置を提供することができる。
【図面の簡単な説明】
【０００８】
【図１】  本発明の一実施形態を示す津波避難装置を示す縦断左側面図。
【図２】  他の実施形態を示す左側面図。
【図３】  他の実施形態を示す側断面図。
【図４】  他の実施形態を示す左側断面図。
【図５】  図４のＡ−Ａ線断面図。
【図６】  図４の津波避難装置の避難時の様子を示す断面図。
【図７】  他の実施形態を示す左側断面図。
【図８】  図７の津波避難装置の避難時の様子を示す断面図。
【図９】  他の実施形態を示す左側断面図。
【図１０】  図９の津波避難装置の左側外観図。
【図１１】  図１０の津波避難装置の避難時の様子を示す外観図。
【図１２】  他の津波避難装置の実施形態を避難時の様子と共に示す左側面図。
【図１３】  他の実施形態を示す側面図。
【図１４】  他の実施形態を示す図１５の平面図。
【図１５】  図１４の側面図。
【図１６】  他の津波避難装置の実施形態を示す平面図。
【図１７】  他の津波避難装置の実施形態を示す斜視図。
【図１８】  他の津波避難装置の実施形態を示す側面図。
【図１９】  他の津波避難装置の実施形態を示す斜視図。
【図２０】  他の津波避難装置の実施形態を示す斜視図。
【図２１】  他の津波避難装置の実施形態を示す斜視図。
【図２２】  他の津波避難装置の実施形態を示す斜視図。
【図２３】  他の津波避難装置の実施形態を示す斜視図。
【発明を実施するための形態】
【０００９】  以下、本発明の一実施形態を説明する。各実施形態で説明する各案は関係する他の実施形態においても適用することができる。
図１は津波避難装置の一実施形態を示すもので、その１つは、津波避難タワーとも称されるもので、同タワーは、例えば、４本の基礎杭１上にそれぞれ接続されて立設されたパイプ製の支柱２と、これら支柱２間を上下数段にわたって互いに連結する梁３、および上端の避難ステージ４とでなるとともに、階段である登降手段５で避難ステージ４に避難可能になっている。６は中間避難ステージ、７は屋上手摺である。こうしたタワーには、津波の襲来する方向＋Ｘに合わせて緩衝杭８が前方設置されており、必要により同緩衝杭８と支柱２とが連結パイプ９で連結されている場合もある。引き波−Ｘの側にも緩衝杭８が設けられることもある。
【００１０】  こうしたタワーは避難ステージ４の上面が８ｍ前後に設定されるが、先の震災による見直しにより地域によっては１５ｍ〜２０ｍ、あるいはそれ以上に設定する。タワーの高さを単に高くするとそれにより受ける負荷も倍加し、しかも余り高くすると避難するにも時間がかかって安全性に問題が出てくる。そうした観点から、この実施形態では、タワーのもつ防御機能をうまく活用してその近くに、津波襲来高さに影響を受けない避難カプセル（別の津波避難装置）１０を付帯装備して埋設防護型となしさらに酸素供給機能や内部発生ガスの排出機能も同タワーの構成部材を利用することで安全確実に得られるようにしたものである。
【００１１】  カプセル１０は、ＲＣ製、鋼鉄製あるいはＦＲＰ製などで長丸筒状あるいは長角筒状に形成してその大部分が地盤内に埋設される方式で固定されるとともに、その上部には避難口を密閉する避難蓋１１を備えた突隆部１２を強度のあるものに一体形成して、同突隆部１２内には、避難蓋１１を開けて避難室Ａ内へ避難するための垂直配列のステップ１３を設け、さらに、室内には垂直ステップ１３からの避難者を受け入れるように踊り場１４とそれに続く左右別れ型の階段（あるいはすべり路）１５を備え付けることで室内に避難可能としたものである。階段１５は１本でもよい。また、カプセル１０は複数基配備することがある。この場合、複数基相互を連通させることもできる。同カプセル１０は、埋設式以外に地盤上に固定して設置することもある。
【００１２】  このカプセル１０は、酸素ボンベ１６を備えるとともに酸素補給タンク１７を備えたり必要に応じて酸素マスクなども常備しておくことができる。それとは別に、現実に津波の襲来があったときに脱出不能なこともあるため、前記タワーのパイプ製支柱２を空気・ガスの流通経路として活用し、その基部とカプセル１０とを空気・ガス連通パイプ１８で接続する一方、支柱２の上端（あるいは中途でもよい）にエルボ状の端パイプ１９を連通状に備えてそこを通じて空気を吸入したりガスを排出したりする。一方の支柱２を空気の流通パイプとし他の支柱２を廃棄ガスの排出パイプとしてもよい。この場合、空気吸入には、経路のいずれかに吸入ポンプを装備して強制的に空気吸入が行われるようにしてもよい。このポンプは、太陽光発電によったり手動によったりする。
【００１３】  また、緩衝杭８および連結パイプ９を空気ガス吸排用の経路の一部に利用してもよい。
さらに、緩衝杭８を図示のように直径を６０〜１００ｃｍなどに太くしておくことで、その内周にステップ２０を配備しておくことで、密閉蓋２１を通じて脱出可能に構成することもできる。密閉蓋２１はそれを開くことで空気ガス吸排用に利用することもできる。
また、図に仮想線で示すように、階段５の背方下にカプセル１０を配して津波＋Ｘで被害を受けないようにして避難可能に構成することもできる。
前記カプセル１０は、タワーに付帯して設置したが、独立して設置することもできる。
【００１４】  尚、右上欄に示すように、酸素補給パイプａと排ガスパイプｂは、支柱２外周の長手方向に添ったものにしてもよい。また、同右欄図の下側に示すように、支柱２の下部に連通パイプ１８を突設してカプセル１０内に連通させる一方、支柱２の上端にガス抜きパイプ２３を突設することにより、カプセル１０内で発生した炭酸ガス類をパイプ２３からいつでも抜き出せるようにするとともに、端パイプ１９に接続した内通パイプ２４を支柱２内から連通パイプ１８内を通ってカプセル１０内に連通するようにすることで、カプセル１０内への酸素供給を可能としてもよい。この場合、内通パイプ２４の下端に酸素（エアー）導入ポンプ２５を手動（あるいは電動）用として備えて積極的な酸素供給を可能とすることができる。また、このポンプ２５にゴムベルトやチェーンなどにより連動して内ガスを排出可能なようにガス排出ポンプ２６を連通パイプ１８の端部に備えてもよい。
【００１５】  図２は他の実施形態を示す。同実施形態の津波避難装置は、タワータイプのもので、例えば、４本の基礎杭１上にそれぞれ接続されて立設されたパイプ製の支柱２と、これら支柱２間を上下数段にわたって互いに連結する梁３、および上端の避難ステージ台枠４とでなるとともに、階段である登降手段５により避難ステージフレーム３０に避難可能になっている。６は中間避難ステージである。避難ステージフレーム３０は、底面と４方の壁板とを有する上端開放型のフレーム体であり、避難ステージフレーム３０上に固定されていて密閉可能な扉３１を開けることで階段５から入ることができるようになっている。この避難ステージフレーム３０は、右欄に示すように、想定より高い津波が襲来してきて一定の浮力が作用すると底のロックピン３２が台枠４から抜脱して矢印のように浮き上がって津波とともに安全に流れるように構成してもよい。ロックピン３２に代えてリンクチェーンやワイヤロープなどのアンカーで結んでおいてもよい。
こうしたタワーには、津波の襲来する方向＋Ｘに合わせて緩衝杭８が前方設置されており、必要により同緩衝杭８と支柱２とが連結パイプ９で連結される場合もある。引き波−Ｘの側にも緩衝杭８が設けられることもある。
【００１６】  この実施形態には他の提案例も含まれている。３４は浮上型避難カプセルで、同避難カプセル３４は、タワーの中央に固定して立設したガイドレール３５にローラー３６を添わせて上位まで上昇避難可能になっている。３７は窪みでその中に設けた架台３８を介して避難カプセル３４が支持されていることで津波流がその間に入り込むため同避難カプセル３４が浮上できるようになっている。３９は密閉可能な扉である。避難カプセル３４は、扉３９を開くことで次々に避難者を収容可能である。この避難カプセル３４は地上に待機しているので、健常者だけでなく避難弱者までも広く収容することができる。この避難カプセル３４は、津波により浮上して津波高さに応じた高さまで浮き上がってくる。尚、この避難カプセル３４を構成する場合、中間避難ステージ６は構成しないので浮上可能になっている。矢印Ｙのように避難カプセル３４内の避難者は上段の避難ステージフレーム３０内に逃げることも可能に構成できる。避難カプセル３４は、上端が開放されているが、閉止型にしてもよい。避難カプセル３４は、その前後底部を面取り状（あるいは円弧状）にして津波流が入り込みやすいようにしてある。
【００１７】  図３は他の実施形態を示す。同実施形態は、ビル４３の周りの地盤４４内に避難カプセル４５を埋設したものである。この避難カプセル４５は、上端に突部４６を備えてその上端に水密式の蓋４７を備えるとともに、室内には、上下の仕切り壁４８を備えてすべり路４９を通じて次々に下方へ避難できるようになっている。蓋４７の一端には、立ち上がり作用片４７ａを突設しておけば、最後の避難者が閉めるのを忘れてしまったときでも津波＋Ｘの力が働いて強制的に蓋４７を閉じあとは水圧の作用で密閉化するように機能させることができる。
【００１８】  ５０は手動回し式でスクリュウ型の穿孔具で、右下欄に詳しく示すように、避難カプセル４５の上壁のシール式通孔を通じてパイプを通しその下端にハンドル５０ａを備える一方上端には地盤４４以上（以下でもよい）に臨むスクリュウ５０ｂを設けたものにしてある。この穿孔具５０はそのままでは、津波流などが入ってしまうため先の尖った先端器具５１を上下動自在に先端内に入れておき、水などが入らないようにしておき、津波後（引き波−Ｘ終了後）には、穿孔具５０とともに回りながら堆積物を突き破ってゆくようにしてある。
【００１９】  そして、避難カプセル４５内からのハンドル回転操作により穿孔具５０を上昇させて津波で堆積したがれきなどを穿って行ったあと、別のハンドル５１ａを回せばねじ軸５１ｂと伝達シャフト５１ｃが上昇することにより先端器具５１を穿孔具５０の上端外に突き出すことができることにより穿孔具５０の先端が空気の取り入れ口となってそこから酸素や室内ガスの出入りが可能になるように構成してある。尚、穿孔具５０の周部には空気を室内に導くための通穴５０ｃが形成されている。また、穿孔具５０は、油圧・水圧あるいはエアー圧などにより強力に上昇させるようにしてもよい。さらに、穿孔具５０は、外周にねじを設けて上壁に形成したメネジに螺合して室内からの操作で回転しながら上昇するようにすれば強力な上昇力が得られる。
【００２０】  穿孔具５０とは別に酸素補給装置を備えている。５２は酸素補給パイプで、避難カプセル４５内にその一端が連通され他端方はビル４３の側面を伝うようにせり上がって屋上以上に酸素補給口５３を開放している。５４は酸素供給ポンプである。５５は排ガスパイプで、避難カプセル４５内に下端が連通し同じくビル４３を伝って屋上以上に開放してある。そして、これら２本のパイプ５２，５５の立ち上がる部分は、左欄にも示すように、津波襲来から保護されるようにガード枠５６と保護メッシュ５７により囲われている。
尚、避難カプセル４５の前方には、パイプ式の緩衝杭５８を立設固定して、その下部を避難カプセル４５内と連通させるとともにその上端をエルボ状にして外部に連通させて酸素と内部ガスの供給・排出を可能にしてもよい。また、同緩衝杭５８内には、避難カプセル４５内との連通路４５ａを通じて避難可能にし、同杭５８内と外部に設けたステップ５８ａを介して外部である地上へ戻ることができるようにしてもよい。
【００２１】  先の東日本大震災時の津波災害においては、市街地を走る車や歩く人々の多くが遠い高台等に避難できずに逃げ場を失った結果津波に襲われ命を落とした人が多くあった。
図４ないし図６はその対策として高台とかタワー型津波避難装置あるいは避難ビルなどに避難する必要なくして最も近場で避難者を救助することが目的の津波避難装置についての一実施形態を示す。
同実施形態は、平時は自宅や田畑あるいは自社など空地においてガレージとして利用可能であるとともに、津波や洪水襲来時には避難カプセル（津波避難装置）６４として機能する一端開放式の水密コンテナに関する。避難カプセル６４の天面にソーラーを設置すれば平時の売電も含む発電・充電および津波襲来時の発電・充電が可能となる。
【００２２】  この避難カプセル６４は、底壁６５・天壁６６・側壁６７および端壁６８の５面を備え水密式で頑強な立体フレームで、金属製や木質製あるいは樹脂（ＦＲＰなど）製でなり、その一端には出入り口となる開口６９を有するとともに開口６９の下側には斜板であるステップ７０を有する。側壁６７の開口６９側の端部は、垂直でもよいが、ここでは側方から水が入り込まないように天壁６６の端部とステップ７０の先端とを結ぶ端縁となるように三角形の部分が追加された形になっている。端壁６８の前面には、津波流がカプセル底域に入り込みやすく浮上させやすいように側面山形をした浮上促進部７１が形成されているとともに、底壁６５の底面には、その間に津波流が通りやすいように左右一対をなす架台７２がウエイト機能も持ち合わせて取り付けられている。この架台７２は金属パイプ製であるが木製あるいは樹脂製でもよい。両架台７２内の前側（図４の左側）には、図６のように開口６９が上を向くようにしかも避難カプセル６４の姿勢を保つようにウエイト７３が設けられている。また、架台７２内の後側（図４の右側）には、フロートを内装して避難カプセル６４が図６のように開口６９側が水面上に大きく浮くようにしてある。浮上促進部７１は、図４に仮想線で示すように、大きな山形に形成してもよく、また、図４の左下欄に示すように、三角形状にしてもよい。
【００２３】  避難カプセル６４内には、車両７５が入れられることからその前面緩衝役として端クッション７６が設けられているとともに車両７５を側面から護るように側面クッション７７も設けられている。これらのクッション７６，７７は避難した車両７５や人の損傷防止のためになる。そして側面クッション７７間に位置するようにして取っ手７８…が複数配列されている。取っ手７８…は、ゴムなど弾性質で避難者に損害を与えないものにしてもよい。さらに、側壁６７の外面には、浮力を増長するためフロート７９が設けられている。避難カプセル６４内には図示しないが非常用の食糧や飲料水などを常備することができる。避難カプセル６４は、図６に仮想線で示すようにリンクチェーンやワイヤロープなどのアンカー８１で繋留支持する場合と、取り付けずフリーとする場合とがある。アンカー８１で繋留する場合、アンカー８１に一定以上の負荷が働くとそれを連結する繋留杭８４から外れて避難カプセル６４がフリーになるようにすれば安全性が高くなる。
【００２４】  緊急時には、図４に示すように、車両７５や人々が避難カプセル６４内に次々と避難する。避難カプセル６４は、前側を津波流（押し波）＋Ｘがくる方向に向けて設置されており、津波流＋Ｘが襲来してくると、津波流は避難カプセル６４の底に入り込んで確実に浮上させるとともに、図６に示すように、津波流により右上がり状（後上がり状）に浮上しながら立ち上がって避難した人や車両７５などを津波流＋Ｘから護る。この際、ウエイト７３とフロート７４、７９が作用して避難カプセル６４は立ち上がり勝手になって内部に水が浸入しにくくなる。しかし、図６に仮想線で示すように、避難後に手動あるいは電動で閉止する密閉ドア８２により水密状にするように構成してもよい。この密閉ドア８２を構成した場合でも、ウエイト７３およびフロート７４，７９を付設しておけば、避難カプセル６４が図６のような傾斜姿勢になってドア８２側から浸水しなくなるが、ドア８２がある場合には、フロート７４，７９は省略することがある。ウエイト７３については避難カプセル６４の転倒を防止するため付設する。
尚、図４の右下欄に示すように、避難カプセル６４は上からみて複列にしてもよい。この場合、連結具８３で互いを連結する。この複列式の場合、津波流＋Ｘに対する安定度が非常に向上するとともに多くの人や車両７５を避難させ得る。
【００２５】  図７および図８は他の実施形態を示す。同実施形態は、避難カプセル６４の底壁６５の上側に奥に行くに従って高くなる傾斜底壁８４を設けて、避難カプセル６４が津波で流された場合に車両７５や避難者の角度がゆるくなるようにしたものである。なお、傾斜底壁８４と底壁６５との間の空間には非常用飲料・食糧８５を入れておくことができる。この場合、例えば、傾斜底壁８４の先端にあけられた出入り口を通じて取り出すようにしてもよい。この出入り口は端クッション７６の右あるいは左端に開口する。尚、開口６９には、ガイドレール８６を通じて開閉自在な密閉ドア８７を備えることができる。
【００２６】  図９ないし図１１は他の実施形態を示し、同実施形態は、避難カプセル６４は、図４のものと同様で同じ構成部分には同じ符号を付してある。開口６９は垂直な角穴として開設され、その全周に添って受けシール９０が装着されている。開口６９の下部には、架台７２を対象に座板９１が固定され、その上にはヒンジ９２を介して密閉蓋９３が取り付けられている。この密閉蓋９３は、受けシール９０に密着可能な四辺盤とされるとともに外向きに下がる傾斜路状とされ、その上を車両７５が登って避難カプセル６４内に入り得るに充分な強度をもつものとされている。
【００２７】  密閉蓋９３の上には、上端が外側向きにやや傾き勝ってとされた支持棒９４が立設されるとともに、同支持棒９４の上部には位置調節可能なバランサ９５が取り付けられている。このバランサ９５がヒンジ９２よりも外側に位置するので、平時は密閉蓋９３を開き勝手に維持する。一方、避難カプセル６４に避難したあとは、支持棒９４を手前に引けば密閉蓋９３を引き上げることができ、同支持棒９４をヒンジ９２の位置より手前側にもってくることでバランサ９５が効いて蓋９３は受けシール９０の方向に回転して密着する。受けシール９０はマグネット吸着式にしてもよい。その様子は図１１に破線で示してある。この際、密閉蓋９３が急激でなくゆっくりと閉まるようにバネやエアーあるいは油圧ダンパーなどの緩衝手段９６を付設してある。また、密閉蓋９３の密着性を保持するため、同蓋９３側と避難カプセル６４側との間に自動ロック機構を構成することができる。
【００２８】  尚、密閉蓋９３は、津波流＋Ｘが作用して自動的に持ち上がりバランサ９５を開口６９の方向に付勢するが、その作用をより確実化するため、図１０の右下欄に示すように、密閉蓋９３の底にフロート９７を装備して浮き上がり力を大きくすることができる。このフロート９７の先端は津波流＋Ｘが浮き上がり力として作用しやすいように斜め面９７ａを設けることができる。
また、図９に示すように、天壁６６には、屈曲した流路を形成する給排気フード９８を設けてもよく、この場合、同フード９８をヒンジ９９で支持するとともに室内から脱着可能な止着具１００により取り付けておくと、図１１のように浮遊して救助を待つまでの間、止着具１００を外してフード９８を開くことで脱出することができる。１０１は脱出用のステップである。
さらに、図１０における１０２は警告灯、１０３は覗き窓、１０４は錨であり、錨は室内から操作可能なものであり、例えば、押し波あるいは引き波で自由に流されることを制止することができ、特に引き波により海洋へ流されてしまうことを防止できる。
【００２９】  また、図１０に示すように、フロート７９は金属や樹脂により中空型のものにすることができる。図例では、このフロート７９の表面などを利用して、当該ボックスなるものが避難用のものであることを平時から周知してもらっておくため、「津波・洪水用  タスカルカプセル」（浮上救命タイプ）のような表示や避難要領を示すイラストなどの表示を付しておくことができる。
さらに、図１０に仮想線で示すように、避難カプセル６４の両面あるいは片面には、スロープや階段などの登降手段１０５を設けて避難カプセル６４上にも避難可能にしてもよい。１０６は手摺である。
また、避難カプセル６４上にはソーラーパネル１０７を設けて発電・充電可能にしてもよい。
さらに、前記バランサ９５による閉止機構は、ウインチによる手動方式や電動方式によるものでもよい。バランサ９５による閉止機構とウインチによる手動方式や電動方式とを組み合わせておけば、手動・電動方式による閉止動作が仮に行われなかった場合でもバランサ９５による閉止が可能になって安全性が向上する。
また、バランサ９５は図１１の破線のように避難カプセル６４内底に付近に作動した際、待機するマグネットに吸着してロックされるようにしてもよい。
さらに、図１０の右上欄に示すように、支持棒９４を、前後に大きくガタ付くように前後当てピースｂ内に入れてヒンジａで支持させておくと、支持棒９４をカプセル内の方向に引き寄せるだけでバランサ９５がヒンジ９２よりも手前側に移行するため、軽くドア９３を持ち上げることができるようになる。
【００３０】  図１２は他の実施形態を示す。同実施形態は、地盤に左右一対からなるガイドレール１１０を立設して一端開放状の避難カプセル６４のローラー１１１を昇降案内させるようにし、これにより、津波が襲来しても避難カプセル６４は斜めに浮上しながら高く避難することができるようにしたものである。尚、ガイドレール１１０の前面には、漂流物１１２が流れてきた際にそれを受け止めるガード１１３を設けておいて避難カプセル６４が円滑に浮上できるようにしてもよい。また、ガイドレール１１０は後倒れ状にしてもよい。また、避難カプセル６４はガイドレール１１０の上端にストップされる場合と図示のように外れて流されるようにする場合とがある。
【００３１】  尚、避難カプセル６４の後開口が設けられているが、その開口をヒンジ１１４で支持されたステップ兼用の密閉蓋１１５により閉止可能に構成してもよく、この場合、前記バランサ方式やウインチ方式あるいは電動方式による他、外部に回転自在に備えたウエイト１１６とシーブ１１７およびワイヤなどの線条材１１８で構成された連動方式により構成してもよい。この場合、避難カプセル６４が浮上するとウエイト１１６が下がり、線条材１１８により蓋１１５が持ち上がって閉止されるものとなる。ウエイト１１６は左右一対あるいは片側のみに設けられ、仮想線のように垂下した形になるので避難カプセル６４が横転するのを防止することもできる。尚、同図右欄に示すように、蓋１１５と避難カプセル６４との間には自動ロック装置１１９を設けてもよい。このロック装置１１９は他の実施形態でも適用できる。
【００３２】  図１３は他の実施形態を示す。同実施形態の避難カプセル６４は１０ｍ〜２０ｍのようにロングタイプとしたものである。避難カプセル６４の一端開口側には、ヒンジに支持された密閉蓋１２２が設けられてバランサ１２３付き支持棒１２４により開口のシールに密着閉止できるようになっている。この蓋１２２は支持棒１２４を引くことで閉止操作したりウインチで閉止したりあるいは電動で閉止することができる。天面上にはソーラーパネル１２５を備えて蓋１２２の開閉を行うようにしたり、非常時の室内の必要電力を賄うようにしてもよい。１２６は給排気手段、１２７は覗き窓、１２８は梯子であり、梯子１２８やスロープなどの登降手段１２９を使って天面上に避難することもできる。１３０は手摺である。
【００３３】  図１４および図１５の実施形態は、上からみてＵ字形になった大型の避難カプセル１３３を示す。この避難カプセル１３３は、長い一対のコンテナとその間の少し短いコンテナとを合体させて内部に壁のない避難室としたものである。長いコンテナの部分にはその一端（右端）が開口されて避難口となっており、短いコンテナ部分の右端は閉じられている。避難口に対応してステップを兼ねる密閉蓋１３４，１３４が設けられてワイヤ付きのウインチ１３５により避難後に閉止操作できるようになっている。ソーラーパネル１３６などによる発電・充電装置により電動で開閉できるようにしてもよい。バランサにより閉止可能にしてもよい。避難室内には、車両１３７…が避難できる他、保護柵１３８による区画により人も避難できるようになっている。１３９は非常食・飲料などの備蓄庫である。
【００３４】  １４０は防護手段を兼ねる梯子、１４１は手摺で、屋上にも避難できるようになっている。この避難カプセル１３３は平面的に広くなっているので特に底のウエイトは必要としないが、備えてもよい。
【００３５】  図１６は避難カプセル１３３が上からみて全体が矩形をなすものになっている。避難口は右端に大きく開口しており、密閉蓋１３４も幅の広い１枚ものになっている。
【００３６】  図１７は他の実施形態を示す。同実施形態は、上下左右前後の６面体でなる完全水密式の角型コンテナを避難カプセル１４４としたもので、避難カプセル１４４の底面にはウエイトを兼ねる架台１４５が設けられる一方、外側面には、防護手段を兼ねるスロープ１４６や階段などの登降手段が設けられ、さらに、天面にはスリップ防止処理が施されて避難口を開閉自在とする出入り可能蓋１４７が設けられている。外部のスロープ１４６や階段は、メッシュでなく面路としておけば、安定翼となって避難カプセル１４４の横倒しが防止される。架台１４５などには、横倒れを防ぐためのウエイトを設けることがある。
【００３７】  そして、適宜に手摺１４８や給排気手段１４９が設けられ、こうした避難カプセル１４４を自宅や田畑、市街地などの適宜場所に設置しておいて津波避難用とする。平時は緊急時の備蓄庫を兼ねる倉庫としてや住居として活用してもよい。金庫の役目を兼ねる重要対象物保存庫を内装して固定などしてもよい。室内には、避難口に続く避難スロープあるいは階段などを設ける。覗き窓１５０や浮遊阻止用錨１５１を付設してもよい。錨１５１は天面上に備えてもよい。
尚、架台１４５内には、ウエイト１５２を挿通固定して避難カプセル１４４の安定度を高くするようにしてもよい。また、スロープ１４６や階段の下空間を活用してフロート１４３を設けるとより安定度が向上する。
【００３８】  図１８は他の実施形態を示し、同実施形態は、完全水密式で丸胴形の避難カプセル１５４を示す。同避難カプセル１５４は、全長２０ｍに設定してあるが１０ｍでも３０ｍでも長さは限定されない。鋼鉄製、ＳＵＳ製、ＲＣ製、ＦＲＰ製など材質は限定されない。この避難カプセル１５４は、外部両側面に昇降階段１５５を備えて水平に設置した上歩み板１５３に登ることができるようになっているとともに、出入り可能な避難口を閉止するための密閉蓋１５６、さらに給排気手段１５７などを備える一方、避難室の内部には、緊急避難のための滑り路（階段でもよい）１５８や上下に避難室を形成するための区画壁１５９などが設けられている。その他、図１７に示すような覗き窓１５０や錨１５１などを付設してもよく、また、備蓄庫を備えてもよい。昇降階段１５５は、図１７のようなスロープ１６１でもよい。避難カプセル１５４は右欄図のように角型断面のものにしてもよい。１６０は外枠ガードで、津波で流されてくる家屋などの漂流物や固定築造物などに衝当しても避難カプセル１５４である本体を防護する。１６０ａは底枠、１６０ｂは避難カプセル１５４との連結架台である。外枠ガード１６０の筋交い１６２は、同図下欄に示すように、それを支持部材としてその内側にスロープ（あるいは階段）１６１を配置して登降手段を構成することができる。この場合、筋交い１６２には手摺１６３を設けることができる。前記外枠ガード１６０付き避難カプセル１５４は、左右並列配置して連結して構成することができる。この場合、外枠ガード１６０相互を連結する。尚、前記避難カプセル１５４は、その複数体を並列にして１つの大きな外枠ガード１６０にまとめて内装することもできる。
【００３９】  図１９は密閉式避難カプセル１７０についての他の実施形態を示す。同実施形態は、２つの案を含むもので、１つは、避難口１６７と密閉ドア１６８とを側面中段高さに配し、これらに対応するようにスロープや階段などの登降手段１６９を設けたものであり、２つ目は、避難カプセル１７０の立体内に盲底式で上方開放型をした脱出室１７１を形成して密閉式脱出扉１７２やステップ１７３などを利用して津波後に脱出ができるようにしたものである。
尚、架台１７４内には、ウエイト１７５を挿通固定して避難カプセル１５４の安定度を高くするようにしてもよい。また、スロープなどの登降手段１６９の上部下側空間を活用してフロート１７６を設けるとより安定度が向上する。また、右欄に示すように、登降手段１６９は地上から上面まで至るものとし、その中途において密閉ドア１６８を開けて避難可能であるとともに上面にも避難ができるようにしてもよい。
【００４０】  図２０に示す避難カプセル１７８は、一端開口式で密閉ドア１７９を開閉自在に装備したもので、その外周囲に発泡樹脂や中空板金製のフロート１８０を付設して避難カプセル１７８の安定性の向上を図るとともに外部からの衝撃を吸収し得るようにしたものである。避難カプセル１７８は密閉式でもよい。このフロート１８０を付設する方式は他の実施形態でも適用する。
【００４１】  図２１に示す避難カプセル１８２外周に廃棄タイヤでなる緩衝部材１８３…を多数垂れ下げて外部からの衝撃を緩和するようにしたものである。１８４は網状材で、緩衝部材１８３を吊り下げるためのロープ１８５を掛けるために利用される。
【００４２】  図２２に示す避難カプセル１８６は、６面密閉型あるいは図２０のような密閉ドア付きのものにおいて、同避難施設１８６は上からみて安定した幅のある矩形状のものとし、その左右両側あるいは一側に、スロープ１８７を装備して車両１８８がスロープ１８７上および天面上にまで登って避難できるようにしたものである。尚、スロープ１８７は、人の避難用にも兼用でき、その場合、図示のように密閉ドア１８９をその中途に対応して配置してもよい。
尚、前記のように図２０のような密閉ドア付きのものにすれば、避難カプセル１８６内にも車両や人を避難させ得る。１９０は周ガード、１９１は避難口蓋である。
【００４３】  図２３は浮上型の津波避難装置の他の実施形態を示す。同実施形態は、側面からみて縦３０ｍ奥行き２０ｍのように矩形をなし正面からみて幅５〜１０ｍ前後の立体に形成し内部に避難空間を備えてなる避難装置１９１であって、正面には第１密閉ドア１９２が設けられ、その奥にも安全対策用の第２密閉ドア１９３が設けられるとともに、避難空間には、複数の区画板１９４…を備えてなる。
【００４４】  この避難装置１９１は、１つあるいは図示のように複数列配置されて杭などの緩衝部材１９５によって地震で倒れないようになっている。これら避難装置１９１は、一定の広い地域に配備されて津波が襲来してくるとドア１９２，１９３を通じて避難するようにする。同装置１９１は、津波流により浮上して横倒しになるが密閉されているので助かるものである。また、平時縦長状をなして多く配列しておくことができるので狭い敷地であっても広い避難空間を提供することができるものである。内部には階段などの登降手段を設けることがある。
【符号の説明】
【００４５】  ２…支柱  ４…避難ステージ  ５…登降手段  １０…カプセル  １１…避難蓋  １５…階段。
【図１】
0005782656.tif 000002
【図２】
0005782656.tif 000003
【図３】
0005782656.tif 000004
【図４】
0005782656.tif 000005
【図５】
0005782656.tif 000006
【図６】
0005782656.tif 000007
【図７】
0005782656.tif 000008
【図８】
0005782656.tif 000009
【図９】
0005782656.tif 000010
【図１０】
0005782656.tif 000011
【図１１】
0005782656.tif 000012
【図１２】
0005782656.tif 000013
【図１３】
0005782656.tif 000014
【図１４】
0005782656.tif 000015
【図１５】
0005782656.tif 000016
【図１６】
0005782656.tif 000017
【図１７】
0005782656.tif 000018
【図１８】
0005782656.tif 000019
【図１９】
0005782656.tif 000020
【図２０】
0005782656.tif 000021
【図２１】
0005782656.tif 000022
【図２２】
0005782656.tif 000023
【図２３】
0005782656.tif 000024